(57)【特許請求の範囲】
【請求項１】
段ボール板材を折り曲げて構成した段ボール製緩衝材であって、
前記段ボール板材は、
一端と他端の間に９の折り目を有し、前記一端から近い順に第１、第２、第３、第４、第５、第６、第７、第８、第９の折り目であり、
更に、
前記一端に設けた第１のストッパと、
前記他端に設けた第３のストッパと、
前記第１の折り目と前記第２の折り目の間に設けた第４のストッパと、
前記第３の折り目と前記第４の折り目の間に設けた第１のスリットと、
前記第５の折り目に設けた第２のスリットと、
前記第６の折り目に設けた第３のスリットと、
前記第２の折り目と前記第３の折り目の間に設けた第１の切り欠き部と、
前記第８の折り目と前記第９の折り目の間に設けた第２の切り欠き部と、
前記一端と前記第２の折り目の間に設けた第１の切り抜き部と、
前記第２の折り目と前記第３の折り目の間に設けた第２の切り抜き部と、
前記第４の折り目と前記第５の折り目の間に設けた第３の切り抜き部と、
を有し、
前記第１の折り目は、前記第１の切り抜き部を挟んだ、２つの部分で構成され、
前記段ボール板材を、前記第２の折り目に沿って折り曲げて内側の面同士を合わせ、更に、前記第１、第３、第４の折り目にそって折り曲げ、前記第１の折り目を第２のストッパとして前記第１のスリットに係合させ、更に前記第５の折り目に沿って折り曲げて、前記第１のストッパを前記第２のスリットに係合させるとともに、
前記段ボール板材を、前記第９、第８、第７の折り目に沿って、直方体を形成するように折り曲げ、前記第３のストッパを前記第３スリットに係合させて、前記第６の折り目で折り曲げ、
前記第４のストッパを前記第１、第２の切り欠き部に係合させた
段ボール製緩衝材。
【発明の詳細な説明】
【技術分野】
【０００１】
本発明は、梱包用ケースの内部に配置して、ケースの運搬・保管時に被包装物品の損傷・破損等を防止するために使用する段ボール製緩衝材に関する。
【背景技術】
【０００２】
メーカーが生産した各種製品を出荷・運搬、あるいは出荷前に倉庫などに保管する際には、被包装物品の損傷・破損等の防止のために、段ボール等の梱包用ケースに緩衝材を介して各種製品を梱包するのが一般的である。
【０００３】
従来、一般に使用されている緩衝材としては、ポリウレタンフォーム、発泡ポリスチレン等の発泡合成樹脂系のものが挙げられる。これらは軽量で、成形が容易であり、緩衝性能も優れているが、焼却すると有毒ガスを発生する、リサイクルが困難である等の様々な環境への悪影響があることが知られている。
【０００４】
そこで、近年、使用後の処理における環境への影響が少なく、リサイクルが容易な紙製の緩衝材が広く使用されるようになってきた。特に、段ボールを用いた緩衝材が、その製作の容易さ、優れた緩衝機能により、広く求められるようになってきている。
【０００５】
段ボールを用いた緩衝材としては、例えば特許文献１、特許文献２に記載のものが従来より知られている。特許文献１に記載のものは、段ボール板材を屏風状に折り畳み、その折曲部分をスリットに結合させて積層したものである。また、特許文献２に記載のものは、段ボール板材を屏風状に折り畳んで積層し、段ボール板材の側縁部分に設けられたストッパを積層端面の凹部にはめ込むことによって形成されたものである。これら特許文献１、特許文献２に記載のものによれば、切り抜き部の構成によっては、例えば被包装物品が直方体形状である場合のその５面（挿入方向の端面、上下面、及び挿入方向と直角をなす横方向の２面）を受ける緩衝材を１枚の段ボール板材から構成することが可能である。これらはそれ単独で被包装物品全体に対する緩衝材とすることも可能であり、また、例えば被包装物品を左右から挟み込むように、被包装物品の一部を支持する緩衝材とすることも可能である。そして、被包装物品は、これらの緩衝材とともに段ボールケース等に梱包して出荷・運搬等を行うこととなる。
【特許文献１】特開平７−２９１３６０号公報
【特許文献２】特開２００１―２２５８７２号公報
【発明の開示】
【発明が解決しようとする課題】
【０００６】
しかしながら、上記特許文献１、特許文献２に記載の段ボール製緩衝材においては、例えば被包装物品が直方体形状である場合のその５面を受ける構造としたとき、被包装物品の挿入方向の緩衝効果を十分得ようとすると、非常に多くの段ボールを積層する必要がある。つまり、挿入方向の端面に対して、被包装物品の挿入方向外側の段ボールの積層数を少なくすると、十分な緩衝効果が得られず、出荷・運搬・保管等されたときに、被包装物品が損傷・破損等する原因となってしまう。これらの問題の発生を防止するため、段ボールの積層数を多くすると、段ボール製緩衝材の作製コストが増し、環境への悪影響も懸念される。
【０００７】
本発明は、上記の問題点を解決するためになされたものであって、その目的は、１枚の段ボール板材から構成可能で、必要な段ボール資源が少なく、被包装物品の挿入方向に十分な緩衝効果を持たせた、被包装物品が直方体形状であった場合のその５面を受けることが可能な段ボール製緩衝材を提供することである。
【課題を解決するための手段】
【０００８】
本発明は、段ボール板材を折り曲げて構成した段ボール製緩衝材であって、前記段ボール板材は、一端と他端の間に９の折り目を有し、前記一端から近い順に第１、第２、第３、第４、第５、第６、第７、第８、第９の折り目であり、更に、前記一端に設けた第１のストッパと、前記他端に設けた第３のストッパと、前記第１の折り目と前記第２の折り目の間に設けた第４のストッパと、前記第３の折り目と前記第４の折り目の間に設けた第１のスリットと、前記第５の折り目に設けた第２のスリットと、前記第６の折り目に設けた第３のスリットと、前記第２の折り目と前記第３の折り目の間に設けた第１の切り欠き部と、前記第８の折り目と前記第９の折り目の間に設けた第２の切り欠き部と、前記一端と前記第２の折り目の間に設けた第１の切り抜き部と、前記第２の折り目と前記第３の折り目の間に設けた第２の切り抜き部と、前記第４の折り目と前記第５の折り目の間に設けた第３の切り抜き部と、を有し、前記第１の折り目は、前記第１の切り抜き部を挟んだ、２つの部分で構成され、前記段ボール板材を、前記第２の折り目に沿って折り曲げて内側の面同士を合わせ、更に、前記第１、第３、第４の折り目にそって折り曲げ、前記第１の折り目を第２のストッパとして前記第１のスリットに係合させ、更に前記第５の折り目に沿って折り曲げて、前記第１のストッパを前記第２のスリットに係合させるとともに、前記段ボール板材を、前記第９、第８、第７の折り目に沿って、直方体を形成するように折り曲げ、前記第３のストッパを前記第３スリットに係合させて、前記第６の折り目で折り曲げ、前記第４のストッパを前記第１、第２の切り欠き部に係合させた。
【発明の効果】
【００２０】
本発明によると、被包装物品が直方体形状であった場合のその５面を受ける段ボール製緩衝材を１枚の段ボール板材によって作製するとき、少ない段ボール資源で十分な被包装物品の挿入方向の緩衝効果を得ることが可能となる。
【発明を実施するための最良の形態】
【００２１】
以下、本発明の実施の形態について、図面に基づいて説明する。図１は本実施形態の段ボール製緩衝材を示す斜視図、図２は本段ボール製緩衝材の展開図、図３は本段ボール製緩衝材の段ボール積層体部分の組み立て工程を表す説明図、図４は本段ボール製緩衝材の中空の緩衝部の組み立て工程を表す説明図である。
【００２２】
本実施形態の段ボール製緩衝材は、図１に示すように、段ボール積層体１と中空の緩衝部２が組み合わせられて構成される。また、被包装物品は、図１に示す段ボール積層体１の物品挿入空間３に挿入され、支持される。中空の緩衝部２は、被包装物品の挿入方向と直角をなす面４、挿入方向と平行な面５を備えている。本段ボール製緩衝材は、図２に示すような１枚の段ボール板材を、図３、図４に示すように、段ボール積層体１、中空の緩衝部２ごとに折り畳んで組み立て、それらを組み合わせることによって形成する。
【００２３】
図２の展開図に示すように、１枚の略長方形状の段ボール板材は、その一部に段ボール積層体１を構成する部分１ａを備えると共に、中空の緩衝部２を構成する段ボール板材の残部２ａを備えている。
【００２４】
段ボール積層体１を構成する部分１ａには、その側縁部に、段ボール積層体１全体の形状を安定させるための第１のストッパ６が設けられている。そして、側縁部側から順に第１の切り抜き部７ａ、第２の切り抜き部７ｂ、第３の切り抜き部７ｃが設けられ、第１の切り抜き部７ａ、第２の切り抜き部７ｂ、第３の切り抜き部７ｃは、段ボール板材が折り曲げられて段ボール積層体１が形成されたとき、被包装物品の外形に合うような物品挿入空間３（図１参照）となる。側縁部に近い第１の切り抜き部７ａ付近には、第１の折り目８が設けられている。この第１の折り目８は、片方のライナーのみを残してもう一方のライナーと波状の中芯を切断して成る。ここで、ライナーとは段ボールの表面の板材のことである。第１の折り目８は、段ボール積層体１を形成するために折り曲げたときに、この第１の折り目８の箇所の形状を安定させるための第２のストッパとなる。
【００２５】
また、段ボール積層体１を構成する部分１ａには、第１の折り目８に続いて、側縁部側から順に第２の折り目９ａ、第３の折り目９ｂ、第４の折り目９ｃ、第５の折り目９ｄが設けられている。このうち、第３の折り目９ｂと第４の折り目９ｃの間には、第２のストッパである第１の折り目８と係合する第１のスリット１０が設けられている。第５の折り目９ｄ上には、第１のストッパ６と係合する第２のスリット１１が設けられている。
【００２６】
中空の緩衝部２を構成する段ボール板材の残部２ａには、その側縁部に、中空の緩衝部２全体の形状を安定させるための第３のストッパ１２が設けられている。そして、側縁部側から順に第９の折り目１３ａ、第８の折り目１３ｂ、第７の折り目１３ｃ、第６の折り目１３ｄが設けられている。このうち、第６の折り目１３ｄ上には、第３のストッパ１２と係合する第３のスリット１４が設けられている。
【００２７】
なお、中空の緩衝部２を構成する段ボール板材の残部２ａの、段ボールの波板状中芯による細管の長さ方向が、前記段ボール積層体１の被包装物品の挿入方向に平行となるようにする。
【００２８】
そして、段ボール積層体１を構成する部分１ａにおいて、段ボール積層体１の側面に相当する箇所には、段ボール板材に切り込みを入れて形成した第４のストッパ１５が設けられている。一方、段ボール積層体１が形成される部分１ａ、及び中空の緩衝部２を構成する段ボール板材の残部２ａの、第４のストッパ１５に対応する箇所には、第４のストッパ１５と係合する第１の切り欠き部１６、第２の切り欠き部１７がそれぞれ設けられている。
【００２９】
続いて、段ボール積層体１の組み立て方について説明する。まず、図３（ａ）に示すように、第２の折り目９ａにそって段ボール板材を折り曲げ、折り曲げた内側の面同士を合わせる。次に、図３（ｂ）に示すように、第３の折り目９ｂ、第４の折り目９ｃ、第１の折り目８にそって段ボール板材を折り曲げる。このとき、第１の折り目８が第２のストッパとなって、第１のスリット１０に係合する。次に、図３（ｃ）に示すように、第５の折り目９ｄで折り曲げ、第１のストッパ６を第２のスリット１１に係合させることで、段ボール積層体１が完成する。
【００３０】
続いて、中空の緩衝部２の組み立て方法について説明する。まず、図４（ａ）に示すように、第９の折り目１３ａ、第８の折り目１３ｂ、第７の折り目１３ｃを、直方体を形成するように折り曲げる。このとき、第３のストッパ１２を第３のスリット１４に係合させることで、中空の緩衝部２の形状を安定させる。次に、図４（ｂ）に示すように、第６の折り目１３ｄで折り曲げることで、中空の緩衝部２が完成する。
【００３１】
最後に、段ボール積層体１と中空の緩衝部２とをつなぎ合わせて形状を安定させるために第４のストッパ１５を第１の切り欠き部１６、第２の切り欠き部１７に係合させ、図１に示すような段ボール製緩衝材が得られる。このようにして、本段ボール製緩衝材は、段ボール板材の一部１ａにより、物品挿入空間３を有する段ボール積層体１が構成され、段ボール板材の残部２ａにより、段ボール積層体１の被包装物品挿入面と対向する面に隣接して中空の緩衝部２が構成されている。
【００３２】
この段ボール製緩衝材は、単独で被包装物品全体に対する緩衝材とすることも可能であり、また、例えば被包装物品を左右から挟み込むように、被包装物品の一部を支持する緩衝材とすることも可能である。そして、被包装物品は、これらの緩衝材とともに段ボールケース等に梱包して出荷・運搬等を行うこととなる。
【００３３】
上記のように構成された段ボール製緩衝材によると、段ボールの積層数を多くすることなく、中空の緩衝部２によって、被包装物品の挿入方向の衝撃を十分吸収することができる。したがって、少ない段ボール資源で十分な被包装物品の挿入方向の緩衝効果を得ることが可能となる。
【００３４】
また、第１のストッパ６、第２のストッパ８、第３のストッパ１２、第４のストッパ１５を用いることによって、段ボール積層体１、中空の緩衝部２、そして段ボール製緩衝材全体の形状を安定させることができる。したがって、緩衝効果を高めることが可能となる。
【００３５】
また、段ボールの波板状中芯による細管の長さ方向を前記段ボール積層体１の被包装物品の挿入方向に平行となるようにすることによって、中空の緩衝部２の側面４がつぶれやすく、上下の面５がつぶれにくい構成となる。このような構成とすることで段ボール積層体１側からの衝撃に対して中空の緩衝部２の空間部分が衝撃を吸収することが可能となり、段ボールの波板状中芯による細管の長さ方向を逆にした場合より少ない段ボール資源で十分な緩衝効果を得られる段ボール製緩衝材を構成することが可能となる。つまり、中空の緩衝部２の周の長さをある程度短くできるということである。
【００３６】
また、中空の緩衝材２を直方体形状とすることによって、梱包用ケース内への配置時において無駄なスペースを取らずにすむこととなり、梱包用ケースの大きさを必要最小限度とすることが可能となる。
【００３７】
また、本段ボール製緩衝材は製作がきわめて容易であり、量産性、形状安定性も優れている。また、接着剤や粘着テープを使用する必要がないので、環境に対する悪影響を最小限度に抑えることができる。
【００３８】
なお、本発明は上記の実施の形態に限定されず、本発明の趣旨を逸脱しない範囲で、種々の変更が可能である。例えば、中空の緩衝部２は直方体形状でなくとも良く、様々な多面体の形状など、中に空間が作られる形状であれば良い。
【００３９】
また、第１の切り抜き部７ａ、第２の切り抜き部７ｂ、第３の切り抜き部７ｃで構成される物品挿入空間３に挿入される被包装物品は、直方体に限られるわけではなく、他の形状であっても構わない。例えば、被包装物品が円柱状であって、物品挿入空間３が、円柱状の被包装物品の軸線方向の端面と、その端面近傍の周面を受ける形状であっても良い。
【産業上の利用可能性】
【００４０】
本発明は、梱包用ケースの内部に配置して、ケースの運搬・保管時に被包装物品の損傷・破損等を防止するために使用する緩衝材として有効である。
【図面の簡単な説明】
【００４１】
【図１】本発明の実施形態の段ボール製緩衝材を示す斜視図である。
【図２】本発明の実施形態の段ボール製緩衝材の展開図である。
【図３】本発明の実施形態の段ボール製緩衝材の段ボール積層体の組み立て工程を示す説明図であり、（ａ）、（ｂ）、（ｃ）の順に組み立てられる。
【図４】本発明の実施形態の段ボール製緩衝材の中空の緩衝部の組み立て工程を示す説明図であり、（ａ）、（ｂ）の順に組み立てられる。
【符号の説明】
【００４２】
１    段ボール積層体
１ａ    段ボール板材において段ボール積層体を構成する部分
２    中空の緩衝部
２ａ    中空の緩衝部を構成する段ボール板材の残部
３    物品挿入空間
４    中空の緩衝部の側面
５    中空の緩衝部の上下の面
６    第１のストッパ
７ａ 第１の切り抜き部
７ｂ 第２の切り抜き部
７ｃ 第３の切り抜き部
８    第１の折り目（第２のストッパ）
９ａ 第２の折り目
９ｂ 第３の折り目
９ｃ 第４の折り目
９ｄ 第５の折り目
１０    第１のスリット
１１    第２のスリット
１２    第３のストッパ
１３ａ 第９の折り目
１３ｂ 第８の折り目
１３ｃ 第７の折り目
１３ｄ 第６の折り目
１４    第３のスリット
１５    第４のストッパ
１６    第１の切り欠き部
１７    第２の切り欠き部
【図１】
0004813114.tif 000002
【図２】
0004813114.tif 000003
【図３】
0004813114.tif 000004
【図４】
0004813114.tif 000005